(57)【要約】【課題】ルーフ部の重量を大幅に増大させることなく電装品を高剛性に取り付ける。【解決手段】車室の前部上面を覆うガラスルーフ３の下方にスライド自在に設置された遮光用のシェード装置４を備えた自動車の上部構造において、上記シェード装置４を、上記ガラスルーフ３の側方部下面に沿って前後方向に延びる左右一対のガイドレール２５，２５と、このガイドレール２５に沿ってスライド自在に支持されたシェード本体２６と、車幅方向に延びて上記一対のガイドレール２５を互いに連結するレール連結部材２９とによって構成するとともに、上記レール連結部材２９の下方に、車幅方向に延びてその両端部が左右一対のルーフサイドレール１，１の車内側壁面に固定されるクロスメンバ３０を設置し、このクロスメンバ３０に、電装品としてのディスプレイ装置４５を取り付ける。【選択図】図３
2008201375.tif 000002
【特許請求の範囲】
【請求項１】
ルーフ部の左右両側辺部に沿って車体の前後方向に延びる一対のルーフサイドレールと、これら一対のルーフサイドレールの間に設置されて車室の前部上面を覆う透明ルーフパネルと、この透明ルーフパネルの下方にスライド自在に設置された遮光用のシェード装置とを備える自動車の上部構造であって、
上記シェード装置は、上記透明ルーフパネルの側方部下面に沿って前後方向に延びる左右一対のガイドレールと、このガイドレールに沿ってスライド自在に支持されたシェード本体と、車幅方向に延びて上記一対のガイドレールを互いに連結するレール連結部材とを有し、
上記レール連結部材の下方には、車幅方向に延びてその両端部が上記一対のルーフサイドレールの車内側壁面に固定されるクロスメンバが設置され、このクロスメンバに電装品が取り付けられたことを特徴とする自動車の上部構造。
【請求項２】
請求項１記載の自動車の上部構造において、
上記電装品が、後席乗員用のディスプレイ装置であることを特徴とする自動車の上部構造。
【請求項３】
請求項１または２記載の自動車の上部構造において、
上記レール連結部材とクロスメンバとの間に、上記電装品から延びるハーネスを車幅方向に沿って配索するためのハーネス配索経路が形成されたことを特徴とする自動車の上部構造。
【請求項４】
請求項３記載の自動車の上部構造において、
上記レール連結部材およびクロスメンバに、断面視で上記ハーネス配索経路の周壁を形成するように折り曲げられた折曲部が形成されたことを特徴とする自動車の上部構造。
【請求項５】
請求項４記載の自動車の上部構造において、
上記ハーネスの外周に弾性体からなる被覆材が取り付けられ、上記レール連結部材およびクロスメンバの各折曲部の間に、上記ハーネスが上記被覆材を介して挟持されたことを特徴とする自動車の上部構造。
【請求項６】
請求項３〜５のいずれか１項に記載の自動車の上部構造において、
上記ハーネス配索経路が、上記レール連結部材およびクロスメンバの前後方向端縁部どうしの間に形成されるとともに、上記クロスメンバの前後幅が側端部で相対的に小さく設定されることにより、上記ハーネス配索経路の側端部に下方に向けて開放される開放部が形成されたことを特徴とする自動車の上部構造。
【請求項７】
請求項３〜５のいずれか１項に記載の自動車の上部構造において、
上記クロスメンバの側端部に、上記ハーネス配索経路内のハーネスを外部に配索するための挿通孔が形成されたことを特徴とする自動車の上部構造。
【発明の詳細な説明】
【技術分野】
【０００１】
本発明は、ルーフ部の左右両側辺部に沿って車体の前後方向に延びる一対のルーフサイドレールと、これら一対のルーフサイドレールの間に設置されて車室の前部上面を覆う透明ルーフパネルと、この透明ルーフパネルの下方にスライド自在に設置されたシェード装置とを備える自動車の上部構造に関する。
【背景技術】
【０００２】
従来、下記特許文献１に示されるように、ガラス製の透明ルーフパネル（サンルーフパネル）の下方に、左右一対のガイドレールに両端部が支持されて上記透明ルーフパネルの下面をスライド自在に覆う遮光用のサンシェードが設けられた自動車の上部構造において、上記一対のガイドレールの間に、車幅方向に延びて両者を互いに連結する連結部材（テレビリインホース）を設け、この連結部材の略中央部にテレビブラケットを介してテレビ本体を取り付けることが行われている。
【特許文献１】実開平５−１３８５３号公報
【発明の開示】
【発明が解決しようとする課題】
【０００３】
ところで、上記特許文献１に開示された自動車の上部構造において、遮光用に設けられる上記サンシェードは、一般に、樹脂や布等の比較的軽量な材質から構成されるため、この軽量なサンシェードを支持する上記ガイドレールおよびその連結部材には、本来、それ程大きな剛性は要求されない。したがって、このような連結部材に、ある程度の重量を有するテレビ等の電装品を取り付けた上記特許文献１の構成では、上記電装品の支持状態が不安定になるおそれがあった。
【０００４】
もちろん、上記連結部材の剛性を高くするとともに、その両端部が固定される上記ガイドレールの剛性を高くすれば、上記電装品を高剛性に支持することが可能であるが、機能上高い剛性が必要とされなかったこれらの部材の剛性を、上記電装品の支持強度を充分に確保し得る程度にまで高めれば、ルーフ部の重量が大幅に増大することが避けられなくなる。
【０００５】
本発明は、上記のような事情に鑑みてなされたものであり、ルーフ部の重量を大幅に増大させることなく電装品を高剛性に取り付けることが可能な自動車の上部構造を提供することを目的とする。
【課題を解決するための手段】
【０００６】
上記課題を解決するためのものとして、本発明は、ルーフ部の左右両側辺部に沿って車体の前後方向に延びる一対のルーフサイドレールと、これら一対のルーフサイドレールの間に設置されて車室の前部上面を覆う透明ルーフパネルと、この透明ルーフパネルの下方にスライド自在に設置された遮光用のシェード装置とを備える自動車の上部構造であって、上記シェード装置は、上記透明ルーフパネルの側方部下面に沿って前後方向に延びる左右一対のガイドレールと、このガイドレールに沿ってスライド自在に支持されたシェード本体と、車幅方向に延びて上記一対のガイドレールを互いに連結するレール連結部材とを有し、上記レール連結部材の下方には、車幅方向に延びてその両端部が上記一対のルーフサイドレールの車内側壁面に固定されるクロスメンバが設置され、このクロスメンバに電装品が取り付けられたことを特徴とするものである（請求項１）。
【０００７】
本発明によれば、シェード本体用の一対のガイドレールを互いに連結するレール連結部材とは別に、車体構成部材としての一対のルーフサイドレールに両端部が固定されたクロスメンバを設け、このクロスメンバに対し電装品を取り付けたため、当該電装品を従来のようにレール連結部材に取り付けた場合と異なり、本来高い剛性が必要とされないガイドレールやレール連結部材を比較的低い剛性に維持したまま、上記電装品を高剛性に取り付けることができる。したがって、本発明によれば、ルーフ部の重量を大幅に増大させることなく、上記電装品の取付剛性を充分に確保することが可能である。
【０００８】
上記電装品としては、例えば、後席乗員用のディスプレイ装置が好適である（請求項２）。
【０００９】
この構成によれば、比較的重量が大きいディスプレイ装置を高剛性に取り付けることができる。
【００１０】
上記レール連結部材とクロスメンバとの間には、上記電装品から延びるハーネスを車幅方向に沿って配索するためのハーネス配索経路が形成されていることが好ましい（請求項３）。
【００１１】
このようにすれば、レール連結部材とクロスメンバとの間に所定の隙間を形成して両部材が干渉するのを有効に防止した上で、この隙間を利用して上記電装品から延びるハーネスを効率よく配索できるという利点がある。
【００１２】
上記構成においては、上記レール連結部材およびクロスメンバに、断面視で上記ハーネス配索経路の周壁を形成するように折り曲げられた折曲部が形成されていることが好ましい（請求項４）。
【００１３】
このようにすれば、レール連結部材およびクロスメンバの断面係数を増大させてその剛性を強化しつつ、上記ハーネス配索経路をより簡単に形成できるという利点がある。
【００１４】
さらに、上記ハーネスの外周に弾性体からなる被覆材が取り付けられ、上記レール連結部材およびクロスメンバの各折曲部の間に、上記ハーネスが上記被覆材を介して挟持されることが好ましい（請求項５）。
【００１５】
このようにすれば、上記ハーネス配索経路の内部において上記ハーネスを傷付かないように保護しながら安定した状態に保持することができ、例えば車両の走行時に上記ハーネスがばたつくことに起因した異音の発生等を効果的に防止することができる。
【００１６】
上記ハーネス配索経路が、上記レール連結部材およびクロスメンバの前後方向端縁部どうしの間に形成されている場合には、上記クロスメンバの前後幅が側端部で相対的に小さく設定されることにより、上記ハーネス配索経路の側端部に下方に向けて開放される開放部が形成されることが好ましい（請求項６）。
【００１７】
このように、クロスメンバの側端部の前後幅を相対的に小さくすることで上記ハーネス配索経路の側端部に下方に向けて開放される開放部を設けた場合には、例えばクロスメンバの側端部にハーネスを通すための挿通孔を設けるといった措置を採ることなく、上記ハーネスをハーネス配索経路の内部から上記開放部を通じて効率よく外部に配索できるという利点がある。
【００１８】
一方、上記クロスメンバの側端部に、上記ハーネス配索経路内のハーネスを外部に配索するための挿通孔を形成した場合には、クロスメンバの前後幅を変化させることなく（つまりクロスメンバの断面形状を車幅方向で一定に維持したまま）、上記ハーネスをハーネス配索経路の内部から上記挿通孔を通じて外部に配索できるという利点がある（請求項７）。
【発明の効果】
【００１９】
以上説明したように、本発明によれば、ルーフ部の重量を大幅に増大させることなく電装品を高剛性に取り付けることが可能な自動車の上部構造を提供することができる。
【発明を実施するための最良の形態】
【００２０】
図１〜図３は、本発明にかかる自動車の上部構造の実施形態を示している。これらの図に示される自動車の上部構造は、ルーフ部の左右両側辺部に沿って車体の前後方向に延びる一対のルーフサイドレール１，１と、これらルーフサイドレール１，１の間に設置されて車室の前部上面を覆う透明なガラス製パネル材からなるガラスルーフ３（本発明にかかる透明ルーフパネルに相当）と、このガラスルーフ３の設置範囲以外の車室の上面を覆うように設置された金属製パネル材からなるルーフパネル２と、上記ガラスルーフ３およびルーフパネル２の下面に沿って車体の前後方向にスライド自在に設置された遮光用のシェード装置４とを備えている。なお、図中の５はフロントガラス、６はフロントピラー、７はセンターピラー、８はフロントルーフヘッダであり、当実施形態では、上記フロントルーフヘッダ８（もしくはフロントガラス５の上端部）からセンターピラー７の設置部までの範囲内における車室の上面が上記ガラスルーフ３によって覆われるようになっている。また、図３では、車体左側（図中では手前側）のルーフサイドレール１を省略して示しており、フロントルーフヘッダ８の左側端部に現れている切断面はそのための仮想断面である。
【００２１】
図１および図２に示すように、車体の後部側面には左右一対のリヤドア１０が設置されており、後席シートに着座する乗員（後席乗員）のための乗降口としてセンターピラー７の設置部後方に形成された乗降用開口部９が、上記リヤドア１０によって開閉されるようになっている。当実施形態におけるリヤドア１０は、いわゆるスライドドアであり、車体の前後方向にスライド変位することで上記乗降用開口部９を開閉するように構成されている。このため、上記ルーフサイドレール１の内部における前後方向所定範囲には、上記リヤドア１０をスライド自在に支持するアッパーガイドレール１１が配設されている。なお、車体の下部側辺に沿って設置される図略のサイドシルにも、同様のガイドレール（ロアガイドレール）が配設されている。
【００２２】
上記アッパーガイドレール１１の前端部には、車幅方向の内方側に向けて円弧状に湾曲する湾曲部１１ａが形成されている。この湾曲部１１ａは、例えばサイドドア１０の閉止時にこのサイドドア１０を車幅方向の内方側に案内することにより、サイドドア１０を乗降用開口部９に密着させる機能を有している。上記ルーフサイドレール１のうちセンターピラー７の上端が接続される部位には、他の部位よりも車幅方向の内方側に膨出する膨出部１２が形成されており、上記湾曲部１１ａは、この膨出部１２の内壁に沿うような状態で上記ルーフサイドレール１の内部に収容されている。
【００２３】
図４および図５に示すように、上記ルーフサイドレール１は、アウタパネル１３およびインナパネル１４を有しており、その前方部（センターピラー７の設置部よりも前方側）では図４に示すように、上記アウタパネル１３およびインナパネル１４によって比較的大きな閉断面が形成されるようになっている。一方、ルーフサイドレール１の前後方向中間部に形成された上記膨出部１２では、図５に示すように、アウタパネル１３およびインナパネル１４が、その側壁を車内側に大きく凹入させたような形状に形成されており、それによって得られた凹入部１５内に、上記アッパーガイドレール１１の湾曲部１１ａが配設されている。
【００２４】
上記ルーフサイドレール１の膨出部１２は、上記凹入部１５の上面を覆うアッパーパネル１６と、このアッパーパネル１６の下面に接合されるレールレインフォースメント１７とをさらに有している。そして、このレールレインフォースメント１７の下面に、上記アッパーガイドレール１１がボルト締結等の手段により固定されている。
【００２５】
上記ルーフパネル２は、図４および図５に示すように、その左右両端部が各ルーフサイドレール１の上面にスポット溶接等により接合されることで、上記各ルーフサイドレール１の間の車室上面を覆うような状態で取り付けられている。ただし図３、図４、および図６に示すように、このルーフパネル２のうちセンターピラー７の設置部よりも前方側に位置する部分では、その左右両端部を残した車幅方向の大部分が切り欠かれており、それによって得られた開口部２０が、上記ガラスルーフ３によって上方から覆われるようになっている。
【００２６】
上記ルーフパネル２の下方には、図４〜図６に示されるルーフトリム４０が設置されている。具体的に、このルーフトリム４０は、上記ガラスルーフ３の設置部を除くルーフパネル２の下面、およびルーフサイドレール１の車内側面を略全体に亘って覆うように設置されている。なお、図３では、上記ルーフトリム４０を省略して示している。
【００２７】
上記ガラスルーフ３は、その周縁部下面に塗布された接着剤２２を介して、上記開口部２０周辺のルーフパネル２に接着固定されている。このガラスルーフ３の周縁部にはモールディングファスナ２１が取り付けられており、このモールディングファスナ２１を介して上記ガラスルーフ３の周縁部がルーフパネル２の上面と当接することにより、上記ガラスルーフ３回りから内部への水分等の浸入が防止されるようになっている。
【００２８】
図３〜図６に示すように、上記ガラスルーフ３の設置部（開口部２０）周辺におけるルーフパネル２の下面側には、上記開口部２０を囲むような枠状のパネル材からなる補強用パネル２３が設置されている。この補強用パネル２３は、その左右両側辺部に形成された複数の接合片２３ａや、開口部２０の前辺部および後辺部に対応する部分等が、上記ルーフパネル２の下面に対しスポット溶接等により直接接合されるとともに、当該接合部以外の適宜の箇所が上記ルーフパネル２の下面と制振材２４を介して当接することにより、上記ガラスルーフ３の設置部周辺のルーフパネル２の剛性を強化するように構成されている。なお、上記制振材２４は、弾性を有するゴムや樹脂等からなり、上記ルーフパネル２と補強用パネル２３との間に介在することによってルーフ部の振動を抑制する役割を果たしている。
【００２９】
上記シェード装置４は、図２〜図６に示すように、上記ガラスルーフ３の側方部下面に沿って前後方向に延びる左右一対のガイドレール２５，２５と、このガイドレール２５に沿ってスライド自在に支持された不透明の樹脂製パネル材または布製シート材等からなるシェード本体２６と、車幅方向に延びて上記一対のガイドレール２５，２５を互いに連結する補強用のレール連結部材２９とを有している。
【００３０】
上記ガイドレール２５は、図４に示すように、上記補強用パネル２３の内縁部下面に締結ボルト３８を介して固定される固定部３３と、この固定部３３の内側端部に連続して形成され、上記シェード本体２６の外側端部を支持する支持部３４とを有している。このようなガイドレール２５は、例えばアルミニウム製の押出成形材のような、比較的軽量な材質によって構成されている。これは、樹脂や布等からなる軽量なシェード本体２６が上記ガイドレール２５に支持されることから、当該ガイドレール２５に対してはそれ程大きな剛性が要求されないためである。なお、上記ガイドレール２５は、図３および図７に示すように、上記補強用パネル２３の設置部よりも後方側では、ルーフパネル２の下面に沿って車幅方向に延びるルーフレインフォースメント３９等に固定されている。
【００３１】
上記ガイドレール２５の支持部３４は、シェード本体２６の外側端部をスライド自在に支持する断面視コ字状の支持溝部３５と、この支持溝部３５の下方側に設けられた断面視Ｌ字状の係止部３６とを有している。なお、係止部３６には、上記開口部２０側方のルーフトリム４０のうち、その内側端部に形成された折り返し部４１が係止されるようになっている。
【００３２】
図３に示すように、上記シェード本体２６の前端部下面には、乗員が手を掛けるための手掛け用凹部２７が設けられており、この手掛け用凹部２７に手を掛けた乗員の操作に応じて、上記シェード本体２６がガイドレール２５に沿って前後方向にスライド変位するように構成されている。
【００３３】
図１〜図３は、上記シェード本体２６がその可動範囲内の後端位置に配設された非使用状態を示しており、この状態ではシェード本体２６がガラスルーフ３の設置部よりも後方側に位置するため、上記ガラスルーフ３を通じて外部光が車室内に取り込まれる。一方、このような位置からシェード本体２６が前方にスライド操作されて可動範囲内の前端位置まで移動すると、図７に示すように、シェード本体２６が上記ガラスルーフ３の直下方に位置する使用状態に変位し、上記ガラスルーフ３からの透過光がこのシェード本体２６によって遮断されることになる。
【００３４】
図３、図５、および図６に示すように、上記レール連結部材２９の下方には、車幅方向に延びてその両端部が上記一対のルーフサイドレール１，１の車内側壁面に固定されるクロスメンバ３０が設置されている。具体的に、このクロスメンバ３０の左右両端部には、上記各ルーフサイドレール１における膨出部１２の車内側壁面に向かって斜め下方に延びる傾斜壁部３１が形成されており、この傾斜壁部３１の下端部が、上記膨出部１２のインナパネル１４に取付固定されることにより、上記クロスメンバ３０が上記一対のルーフサイドレール１，１を車幅方向に橋渡すような状態で設置されている。なお図３では、車体左側（図中では手前側）の傾斜壁部３１を省略して示しており、クロスメンバ３０の左側端部に現われている切断面はそのための仮想断面である。
【００３５】
上記クロスメンバ３０には、後席乗員のためにテレビ画像等の映像を表示するいわゆるリヤエンタとしてのディスプレイ装置４５が取り付けられている。このディスプレイ装置４５は、ルーフ部の下面に沿うように設置された本体部４６と、この本体部４６に支軸４７を介して前端部が枢支されることにより、上記支軸４７を支点に回動可能に取り付けられたモニター部４８とを有している。
【００３６】
上記ディスプレイ装置４５のモニター部４８は、その一面（図３および図６において本体部４６側を向いた面）にテレビ画像等の映像を表示するための表示部を有しており、図６の実線で示される非使用状態から、図中の矢印で示すように上記支軸４７を支点に回動変位することにより、上記表示部を後方側に向けた使用状態（図中の２点鎖線参照）に変位するように構成されている。
【００３７】
上記ディスプレイ装置４５の本体部４６は、上記クロスメンバ３０にブラケット４４を介して取り付けられている。具体的には、上記本体部４６の左右両側辺部における前後端位置から車幅方向外側に突出するように形成された取付辺部４６ａが、上記ブラケット４４の対応する箇所に形成された取付辺部４４ａに締結ボルト４９を介して固定されるとともに、上記ブラケット４４が上記クロスメンバ３０の下面に締結ボルト５０を介して固定されることにより、上記ディスプレイ装置４５の本体部４６がクロスメンバ３０に対し取付固定されている。なお、上記ルーフトリム４０は、上記ブラケット４４の取付辺部４４ａが設置される箇所に対応して形成された開口部４２を有しており、上記本体部４６およびブラケット４４の各取付辺部４６ａ，４４ａが、この開口部４２を介し直接重ね合わされた状態でボルト締結されるようになっている。
【００３８】
このように構成されたディスプレイ装置４５には、その本体部４６の所定部位に、図３、図５、および図６に示されるハーネス５２の一端が接続されるようになっている。このハーネス５２は、例えば車室の前端部に設置されたインストルメントパネル内に存在するテレビ受信機等のＡＶ機器（図示省略）と上記ディスプレイ装置４５との間で電気信号等の送受信を行うための配線として設けられており、車体の前後方向に延びるように配索されて両者を電気的に接続している。具体的に、上記ハーネス５２は、上記ディスプレイ装置４５を起点として、上記レール連結部材２９およびクロスメンバ３０の間を通って車幅方向外方側に配索された後、ルーフサイドレール１やフロントピラー６の車内側壁面等に沿って車体の前方側に配索され、最終的に上記インストルメントパネル内のＡＶ機器に接続されるように構成されている。
【００３９】
図６に示すように、上記クロスメンバ３０は、その断面形状（車体の前後方向に沿った断面の形状）がクランク状に折れ曲がるように形成されており、これによって比較的高い断面係数を有するように構成されている。一方、このクロスメンバ３０の上方側に配設された上記レール連結部材２９も、その断面形状が上記クロスメンバ３０と同様にクランク状に折れ曲がるように形成されている。
【００４０】
また、上記クロスメンバ３０は、図３および図６に示すように、底面視で上記レール連結部材２９の後端部と重複する状態で車幅方向に延びるように設置されている。すなわち、上記クロスメンバ３０およびレール連結部材２９は、クロスメンバ３０の前端部に形成された折曲部３０ａと、レール連結部材２９の後端部に形成された折曲部２９ａとが上下方向に対向する状態で設置されている。そして、これら各折曲部２９ａ，３０ａの間に、上記ディスプレイ装置４５から延びるハーネス５２を配索する空間としてのハーネス配索経路５３が形成され、このハーネス配索経路５３に沿って上記ハーネス５２が車幅方向に配索されるように構成されている。
【００４１】
図３および図８に示すように、上記クロスメンバ３０は、その左右両端部の前後幅が、中央部に比べて相対的に狭くなるように形成されている。これにより、上記クロスメンバ３０とレール連結部材２９との前後方向の重複範囲が車幅方向の外側端部において減少し、当該部に上記ハーネス配索経路５３を下方に開放する開放部５４が形成される。上記ハーネス５２は、この開放部５４を通じて、上記ハーネス配索経路５３からその外部へと配索されることになる。
【００４２】
図５および図６に示すように、上記ハーネス５２のうち、上記ハーネス配索経路５３内に収容された部分の長手方向複数箇所には、ゴムや樹脂等の弾性体からなる筒状の被覆材５５が、ハーネス５２の外周に密着した状態で設けられている。そして、上記ハーネス５２は、上記レール連結部材２９およびクロスメンバ３０の各折曲部２９ａ，３０ａの間に上記被覆材５５を介して挟持されることにより、上記ハーネス配索経路５３内に安定して保持されるように構成されている。
【００４３】
上記のようにルーフ部の左右両側辺部に沿って前後方向に延びる一対のルーフサイドレール１，１と、これら一対のルーフサイドレール１，１の間に設置されて車室の前部上面を覆うガラスルーフ３と、このガラスルーフ３の下方にスライド自在に設置された遮光用のシェード装置４とを備えた自動車の上部構造において、上記シェード装置４を、上記ガラスルーフ３の側方部下面に沿って前後方向に延びる左右一対のガイドレール２５，２５と、このガイドレール２５に沿ってスライド自在に支持されたシェード本体２６と、車幅方向に延びて上記一対のガイドレール２５を互いに連結するレール連結部材２９とによって構成するとともに、上記レール連結部材２９の下方に、車幅方向に延びてその両端部が上記一対のルーフサイドレール１，１の車内側壁面に固定されるクロスメンバ３０を設置し、このクロスメンバ３０に、後席乗員用のディスプレイ装置４５を取り付けた上記実施形態の構成によれば、ルーフ部の重量を大幅に増大させることなくディスプレイ装置４５を高剛性に取り付けることができるという利点がある。
【００４４】
すなわち、上記構成によれば、シェード本体２６用の一対のガイドレール２５，２５を互いに連結するレール連結部材２９とは別に、車体構成部材としてのルーフサイドレール１，１に両端部が固定されたクロスメンバ３０を設け、このクロスメンバ３０に上記ディスプレイ装置４５を取り付けたため、上記ディスプレイ装置４５を従来のようにレール連結部材２９に取り付けた場合と異なり、本来高い剛性が必要とされないガイドレール２５やレール連結部材２９を比較的低い剛性に維持したまま、上記ディスプレイ装置４５を高剛性に取り付けることができるという利点がある。
【００４５】
具体的に、上記ディスプレイ装置４５を従来のようにレール連結部材２９に取り付けた場合には、上記ディスプレイ装置４５の取付剛性を確保するために、上記レール連結部材２９やその取付先であるガイドレール２５の剛性を大幅に強化する必要が生じ、これらの部材が大型化することが避けられなくなる。特に、上記ガイドレール２５は、前後方向に長尺な部材であって左右一対設けられるため、このガイドレール２５やその連結部材２９を大型化すると、その分だけルーフ部の重量が大幅に増大してしまう。これに対し、上記レール連結部材２９とは別体に構成され、かつ上記ルーフサイドレール１，１に左右両端部が直接固定されたクロスメンバ３０に上記ディスプレイ装置４５を設けた上記実施形態の構成によれば、上記のような大幅な重量の増大を伴うことなく、上記ディスプレイ装置４５を高剛性に取り付けることができる。
【００４６】
しかも、例えば車種に応じて上記ディスプレイ装置４５の有無を設定し分ける必要がある場合には、ディスプレイ装置４５が必要な車種にのみ上記クロスメンバ３０を設置することにより、ルーフ部の重量が上記ディスプレイ装置４５の有無にかかわらず増大してしまうのを有効に回避することが可能である。すなわち、上記ディスプレイ装置４５をレール連結部材２９に取り付けたような場合には、その取付剛性を確保するためにガイドレール２５やレール連結部材２９の剛性を強化する必要があり、その重量がディスプレイ装置４５の有無にかかわらず一律に増大することとなるが、上記ディスプレイ装置４５をクロスメンバ３０に取り付けた上記実施形態の構成によれば、上記ディスプレイ装置４５と合わせてクロスメンバ３０の有無も設定し分けることにより、上記のような重量の増大を有効に回避することができる。
【００４７】
また、上記実施形態では、レール連結部材２９とクロスメンバ３０との間に、上記ディスプレイ装置４５から延びるハーネス５２を車幅方向に沿って配索するためのハーネス配索経路５３を形成したため、上記レール連結部材２９とクロスメンバ３０との間に所定の隙間を形成して両部材が干渉するのを有効に防止した上で、この隙間を利用して上記ハーネス５２を効率よく配索できるという利点がある。また、例えばクロスメンバ３０の下面側にハーネス５２を配索するようにした場合と異なり、車室の天井位置（ルーフトリム４０の下面）をより高く設定できるという利点もある。
【００４８】
特に、上記実施形態のように、上記レール連結部材２９およびクロスメンバ３０の断面形状をクランク状に折り曲げることによって折曲部２９ａ，３０ａを設け、これら各部材の折曲部２９ａ，３０ａにより、上記ハーネス配索経路５３の周壁が形成されるように構成した場合には、上記レール連結部材２９およびクロスメンバ３０の断面係数を増大させてその剛性を強化しつつ、上記ハーネス配索経路５３をより簡単に形成できるという利点がある。
【００４９】
また、上記実施形態のように、ハーネス５２の外周に弾性体からなる被覆材５５を取り付け、上記レール連結部材２９およびクロスメンバ３０の各折曲部２９ａ，３０ａの間に、上記被覆材５５を介して上記ハーネス５２を挟持させるようにした場合には、上記ハーネス配索経路５３の内部において上記ハーネス５２を傷付かないように保護しながら安定した状態に保持することができ、例えば車両の走行時に上記ハーネス５２がばたつくことに起因した異音の発生等を効果的に防止することができる。
【００５０】
また、上記実施形態のように、レール連結部材２９の後端部およびクロスメンバ３０の前端部に形成された各折曲部２９ａ，３０ａの間に上記ハーネス配索経路５３を形成するとともに、上記クロスメンバ３０の左右両端部の前後幅を相対的に小さく設定することにより、上記配索経路５３の側端部に下方に向けて開放される開放部５４を設けた場合には、例えばクロスメンバ３０の側端部にハーネス５２を通すための挿通孔を設けるといった措置を採ることなく、上記ハーネス５２をハーネス配索経路５３の内部から上記開放部５４を通じて効率よく外部に配索できるという利点がある。
【００５１】
なお、上記実施形態では、クロスメンバ３０に後席乗員用のディスプレイ装置４５を取り付けるようにしたが、別の種類の電装品を上記クロスメンバ３０に取り付けることも当然に可能である。例えば、スピーカ等の音響機器や、エアコンの吹き出し口等の空調機器を取り付けるようにしてもよい。いずれにしても、ある程度の重量を有する電装品をルーフ部に高剛性に取り付けたい場合に、本発明の自動車の上部構造を好適に適用することができる。
【００５２】
また、上記実施形態では、クロスメンバ３０の左右両端部の前後幅を相対的に小さく設定することにより、上記ハーネス配索経路５３の側端部に下方に向けて開放される開放部５４を設け、この開放部５４を通じてハーネス配索経路５３内のハーネス５２を外部に配索するようにしたが、図９に示すように、クロスメンバ１３０の側端部にハーネス５２を通すための挿通孔６０を形成し、この挿通孔６０を通じて上記ハーネス配索経路５３内のハーネス５２を外部に配索するようにしてもよい。このようにすれば、上記実施形態のようにクロスメンバ３０の前後幅を変化させることなく（つまり図９のようにクロスメンバ１３０の断面形状を車幅方向で一定に維持したまま）、上記ハーネス５２をハーネス配索経路５３の内部から上記挿通孔６０を通じて外部に配索できるという利点がある。
【図面の簡単な説明】
【００５３】
【図１】本発明にかかる自動車の上部構造の実施形態を示す平面図である。
【図２】車体の基本骨格およびシェード装置の概略構成を示す平面図である。
【図３】車室内を下から見た底面斜視図であり、シェード装置の非使用状態を示す図である。
【図４】図１のIV−IV線に沿った断面図である。
【図５】図１のＶ−Ｖ線に沿った断面図である。
【図６】図１のVI−VI線に沿った断面図である。
【図７】シェード装置を使用状態に変位させた状態を示す図である。
【図８】レール連結部材およびクロスメンバを拡大して示す底面図である。
【図９】本発明の他の実施形態を説明するための図である。
【符号の説明】
【００５４】
１  ルーフサイドレール
３  ガラスルーフ（透明ルーフパネル）
４  シェード装置
２５  ガイドレール
２６  シェード本体
２９  レール連結部材
２９ａ  （レール連結部材の）折曲部
３０  クロスメンバ
３０ａ  （クロスメンバの）折曲部
４５  ディスプレイ装置
５２  ハーネス
５３  ハーネス配索経路
５４  開放部
５５  被覆材
６０  挿通孔
【図１】
2008201375.tif 000003
【図２】
2008201375.tif 000004
【図３】
2008201375.tif 000005
【図４】
2008201375.tif 000006
【図５】
2008201375.tif 000007
【図６】
2008201375.tif 000008
【図７】
2008201375.tif 000009
【図８】
2008201375.tif 000010
【図９】
2008201375.tif 000011